(57)【要約】【課題】電子機器及び外部機器の設定を容易に変更する。【解決手段】外部機器と通信可能な電子機器は、外部機器及び電子機器の設定を変更する設定部と、外部機器の第１機器情報を取得する取得部と、第１機器情報が有する第１設定の第１選択肢と、電子機器の第２機器情報が有する第２設定の第２選択肢とを一緒に表示させる表示制御部と、を備える。設定部は、第１設定と第２設定とを変更可能である。【選択図】図６Ｂ
2019004334.tif 000002
【特許請求の範囲】
【請求項１】
外部機器と通信可能な電子機器であって、
前記外部機器及び前記電子機器の設定を変更する設定部と、
前記外部機器の第１機器情報を取得する取得部と、
前記第１機器情報が有する第１設定の第１選択肢と、前記電子機器の第２機器情報が有する第２設定の第２選択肢とを一緒に表示させる表示制御部と、を備え、
前記設定部は、前記第１設定と前記第２設定とを変更可能である電子機器。
【請求項２】
前記設定部は、変更した前記第１設定を含む前記外部機器の設定情報を前記外部機器に送信させる請求項１に記載の電子機器。
【請求項３】
前記表示制御部は、前記第１設定及び前記第２設定を示す表示を前記第１選択肢及び前記第２選択肢とともに表示させる請求項１又は請求項２に記載の電子機器。
【請求項４】
前記表示は、前記第１設定を示す第１表示と、前記第２設定を示す第２表示と、を含む請求項３に記載の電子機器。
【請求項５】
前記表示制御部は、前記第１設定及び前記第２設定を識別表示させる請求項１〜請求項４のいずれかに記載の電子機器。
【請求項６】
前記表示制御部は、前記第１選択肢に含まれる第１特定選択肢と、前記第２選択肢に含まれる第２特定選択肢と、を前記表示画面に識別表示させる請求項１〜請求項５のいずれかに記載の電子機器。
【請求項７】
前記表示制御部は、前記第１特定選択肢と前記第２特定選択肢とを示す特定の表示を前記第１選択肢及び前記第２選択肢とともに表示させる請求項６に記載の電子機器。
【請求項８】
前記表示制御部は、前記第１設定と前記第２設定とが異なる場合、表示画面に所定の通知を行う請求項１〜請求項７のいずれかに記載の電子機器。
【発明の詳細な説明】
【技術分野】
【０００１】
本発明は、電子機器に関する。
【背景技術】
【０００２】
近年、たとえば特許文献１のようにテレビジョン装置とレコーダ装置とをＨＤＭＩ（登録商標）接続して、両者を相互にリンクして動作させる技術が知られている。ＨＤＭＩ接続された各々の装置に設定されている解像度は自動的に変更される場合がある。
【先行技術文献】
【特許文献】
【０００３】
【特許文献１】特開２００８−６７０２４号公報
【発明の概要】
【発明が解決しようとする課題】
【０００４】
しかしながら、他の再生条件では、各々の装置で設定を変更する必要がある。たとえば、テレビジョン装置のＨＤＲ対応の設定はテレビジョン装置側での操作により変更する必要があり、レコーダ装置のＨＤＲ対応の設定はレコーダ装置側での操作により変更する必要がある。また、ユーザが各々の装置での再生条件の設定変更方法をあまり理解していない恐れがある。そのため、各々の装置における再生条件の設定を変更する処理が煩わしかった。
【０００５】
このような問題に対して、特許文献１では、ＣＥＣコマンドの利用によって、テレビジョン装置及びレコーダ装置の両方の設定が一方の装置（たとえばテレビジョン装置）での操作により変更できる。ただし、テレビジョン装置に設定された画像条件を変更するためのＯＳＤ表示画面と、レコーダ装置に設定された画像条件を変更するためのＯＳＤ表示画面とが別々であるため、設定を変更する処理の煩わしさが十分には解消されていない。
【０００６】
本発明は、このような状況を鑑みてなされたものであり、電子機器及び外部機器の設定を容易に変更することができる電子機器を提供することを目的とする。
【課題を解決するための手段】
【０００７】
上記目的を達成するために、本発明の一の態様による電子機器は、外部機器と通信可能な電子機器であって、外部機器及び電子機器の設定を変更する設定部と、外部機器の第１機器情報を取得する取得部と、第１機器情報が有する第１設定の第１選択肢と、電子機器の第２機器情報が有する第２設定の第２選択肢とを一緒に表示させる表示制御部と、を備え、設定部は、第１設定と第２設定とを変更可能である構成（第１の構成）とされる。
【０００８】
第１の構成によれば、第１選択肢と第２選択肢とが一緒に表示され、外部機器の第１設定と電子機器の第２設定とが設定部により変更可能である。よって、電子機器及び外部機器の設定を容易に変更することができる。
【０００９】
上記第１の構成の電子機器は、設定部は、変更した第１設定を含む外部機器の設定情報を外部機器に送信させる構成（第２の構成）としてもよい。
【００１０】
第２の構成によれば、変更後の第１設定を外部機器に通知できる。
【００１１】
上記第１又は第２の構成の電子機器は、表示制御部は、第１設定及び第２設定を示す表示を第１選択肢及び第２選択肢とともに表示させる構成（第３の構成）としてもよい。
【００１２】
第３の構成によれば、第１選択肢及び第２選択肢とともに、外部機器の第１設定と、電子機器の第２設定とが一緒に表示される。そのため、たとえば、ユーザは、第１選択肢と第２選択肢とを同時に視認した状態で、第１設定と第２設定とを変更できる。従って、ユーザは、第１設定及び第２設定をより最適な設定に変更し易くなる。
【００１３】
さらに、上記第３の構成の電子機器は、表示は、第１設定を示す第１表示と、第２設定を示す第２表示と、を含む構成（第４の構成）としてもよい。
【００１４】
第４の構成によれば、外部機器の第１設定と電子機器の第２設定とが識別され易くなる。
【００１５】
上記第１〜第４のうちの構成の電子機器は、表示制御部は、第１設定及び第２設定を識別表示させる構成（第５の構成）としてもよい。
【００１６】
第５の構成によれば、外部機器の第１設定、及び、電子機器の第２設定が、識別表示されるので、より視認され易くなる。
【００１７】
上記第１〜第５のうちのいずれかの構成の電子機器は、表示制御部は、第１選択肢に含まれる第１特定選択肢と、第２選択肢に含まれる第２特定選択肢と、を表示画面に識別表示させる構成（第６の構成）としてもよい。
【００１８】
第６の構成によれば、ユーザは、たとえば、第１特定選択肢及び第２特定選択肢がそれぞれ外部機器及び電子機器に設定する再生条件の最適な設定又は推奨設定であれば、より容易に第１設定及び第２設定をより最適な設定に変更することができる。さらに、ユーザは、たとえば再生条件の設定変更方法をあまり理解していなくても、第１設定及び第２設定をより最適な設定に変更することができる。
【００１９】
さらに、上記第６の構成の電子機器は、表示制御部は、第１特定選択肢と第２特定選択肢とを示す特定の表示を第１選択肢及び第２選択肢とともに表示させる構成（第７の構成）としてもよい。
【００２０】
第７の構成によれば、第１特定選択肢及び第２特定選択肢が識別され易くなる。
【００２１】
上記第１〜７のいずれかの構成の電子機器は、表示制御部は、第１設定と第２設定とが異なる場合、表示画面に所定の通知を行う構成（第８の構成）としてもよい。
【００２２】
第８の構成によれば、所定の通知により、第１設定と第２設定とが異なることが通知できる。
【発明の効果】
【００２３】
本発明によれば、電子機器及び外部機器の設定を容易に変更することができる。
【図面の簡単な説明】
【００２４】
【図１】ＢＤレコーダの構成例を示すブロック図である。
【図２】テレビジョン装置の構成例を示すブロック図である。
【図３】制御部の構成例を示すブロック図である。
【図４】画質条件の設定を変更してコンテンツを再生する方法の一例を説明するためのフローチャートである。
【図５】テレビジョンＥＤＩＤ情報を取得する際におけるＣＥＣ経由での情報取得シーケンスの一例である。
【図６Ａ】画質条件の設定移行画面の一例を示している。
【図６Ｂ】第１実施形態に係る解像度の設定画面の一例を示している。
【図６Ｃ】テレビジョン装置の解像度の設定条件がＢＤレコーダに設定されているレコーダ設定を含まない場合の警告表示の一例を示している。
【図６Ｄ】第１実施形態に係るダイナミックレンジの設定画面の一例を示している。
【図７Ａ】第２実施形態に係る解像度の設定画面の一例を示している。
【図７Ｂ】第２実施形態に係るダイナミックレンジの設定画面の一例を示している。
【図８Ａ】第３実施形態に係る解像度の設定画面の一例を示している。
【図８Ｂ】第３実施形態に係るダイナミックレンジの設定画面の一例を示している。
【発明を実施するための形態】
【００２５】
以下に、図面を参照して、本発明の実施形態を説明する。
【００２６】
＜第１実施形態＞
本発明の実施形態について、ＢＤ（Blu-ray（登録商標） Disc）レコーダ１と、ＨＤＭＩ（登録商標）ケーブル２と、テレビジョン装置３と、から構成される映像表示システムを例に挙げて説明する。なお、本実施形態において、ＢＤレコーダ１は本発明の「電子機器」に対応し、テレビジョン装置３は本発明の「外部機器」に対応している。
【００２７】
（ＢＤレコーダの構成）
ＢＤレコーダ１の構成を説明する。図１は、ＢＤレコーダ１の構成例を示すブロック図である。ＢＤレコーダ１は、図１に示すように、放送受信部１１、信号処理部１２、ＯＳＤ（On Screen Display）処理部１３、制御部１４、光ディスクドライブ１５、記憶部１６、入力部１７、ＨＤＤ（Hard Disk Drive）１８、ネットワークＩ／Ｆ１９、及びＨＤＭＩ通信部２０を備えている。ＢＤレコーダ１は、ＨＤＭＩケーブル２によって、テレビジョン装置３と通信可能にＨＤＭＩ接続されている。また、ＢＤレコーダ１には、外部のアンテナＡＴが接続されている。
【００２８】
放送受信部１１は、外部のアンテナＡＴに接続されてデジタル放送の選局、増幅、復調などを行う。放送受信部１１は、デジタルチューナ、及び誤り訂正部などを含むように構成されている。デジタルチューナは、ベースバンド信号の生成、及び生成されたベースバンド信号の復調を行い、誤り訂正部は、復調データに対して誤り訂正を行う。これにより、ＭＰＥＧ２方式のデジタル信号であるＴＳ（Transport Stream）の取得を行う。
【００２９】
なお、ＴＳとは、コンテンツ（番組）の音声ＰＥＳ（Packetized Elementary Stream）、映像ＰＥＳ、及び付加情報を固定長のＴＳパケットに分割してつなぎ合わせたものである。ＴＳは、信号処理部１２へ与えられて映像／音声信号に変換される。なお、ＴＳを変換せずＨＤＤ１８へ直接記録するＤＲ録画を行う場合、信号処理部１２はＴＳのスルーのみを行う。
【００３０】
信号処理部１２では、放送受信部１１により生成されたＴＳが入力されて音声デジタル信号と映像デジタル信号とに分離される。具体的には、信号処理部１２は、放送受信部１１により生成されたＴＳを、ＴＳパケットに分割する。また、信号処理部１２は、ＴＳパケットを再結合することにより、音声／映像のＰＥＳを生成する。
【００３１】
そして、信号処理部１２は、ＰＥＳを結合することにより、ＥＳ（Elementary Stream）を生成する。さらに、信号処理部１２はＥＳの復号を行い、各種のデジタル信号に変換する。復号により得られたデジタル信号は、テレビジョン装置３へ出力する場合は、ＨＤＭＩ通信部２０へ与えられる。
【００３２】
また、録画を行う場合には、上記復号により得られたデジタル信号は、信号処理部１２により更に所定の処理が行われて光ディスクドライブ１５又はＨＤＤ１８に与えられる。再生時は、光ディスクドライブ１５又はＨＤＤ１８から読み出されたデータが信号処理部１２により所定の処理を行われる。そして、復号により得られたデジタル信号は、出力のためにＨＤＭＩ通信部２０に与えられる。
【００３３】
ＯＳＤ処理部１３は、各種のＯＳＤ画像を生成する。たとえばＯＳＤ処理部１３は、信号処理部１２により生成された放送の映像データに対してＯＳＤ画像データを重畳し、重畳後の映像データをＨＤＭＩ通信部２０に与える。また、たとえばＯＳＤ処理部１３は、上記重畳は行わずに、メニュー画面などのＯＳＤ画像データをＨＤＭＩ通信部２０に与えることもできる。
【００３４】
制御部１４は、ＢＤレコーダ１の各々の構成要素を統括的に制御し、たとえば、映像コンテンツ及び音声コンテンツの再生処理、記録処理、出力処理などを制御する。制御部１４はたとえば、複数のマイクロプロセッサから構成されている。なお、制御部１４の構成は後に説明する。
【００３５】
光ディスクドライブ１５は、ＤＶＤ（Digital Versatile Disc）メディア、或いはＢＤメディアなどの光ディスクに対して光学的に各種のデータの読み取り／書き込みを行うための光学装置である。光ディスクドライブ１５は、光ピックアップ（不図示）の制御を行うことにより、光ディスクに光ビームを照射して、音声情報、映像情報などの各種情報の読み取り／書き込みを行う。この際、光ピックアップの駆動制御、フォーカス制御、或いはチルト制御などの各種の制御を行う。
【００３６】
記憶部１６は、電源電力が供給されていなくてもデータを非一時的に記憶する記憶媒体である。記憶部１６は、たとえば制御部１４のワークメモリとして用いられ、制御部１４によって各種の情報処理が行われる際の処理データが一時的に記憶される。また、記憶部１６は、たとえば、制御部１４で用いられる各種の情報及びプログラム、ＢＤレコーダ１の動作設定データ、ユーザ固有の情報などの保存に用いられる。また、記憶部１６は、テレビジョン装置３から取得したテレビジョン装置３のテレビジョンＥＤＩＤ（Extended Display Identification Data）情報及びテレビジョン機器情報と、ＢＤレコーダ１のレコーダＥＤＩＤ情報及びレコーダ機器情報と、を記憶している。テレビジョンＥＤＩＤ情報は、テレビジョン装置３に設定されている画質条件を含む設定情報である。テレビジョン機器情報は、テレビジョン装置３の動作パラメータに関する情報であって、テレビジョン装置３に設定可能な画質条件のテレビジョン選択肢を含んでいる。レコーダＥＤＩＤ情報は、ＢＤレコーダ１に設定されている画質条件を含む設定情報である。レコーダ機器情報は、ＢＤレコーダ１の動作パラメータに関する情報であって、ＢＤレコーダ１に設定可能な画質条件のレコーダ選択肢を含んでいる。なお、画質条件は、コンテンツの再生条件の一例であり、たとえば、映像コンテンツの解像度、映像コンテンツのダイナミックレンジなどである。また、記憶部１６に記憶されている上述のようなデータのうちの少なくとも一部は、ＨＤＤ１８に記憶されていてもよい。なお、本実施形態の「テレビジョン機器情報」、「レコーダ機器情報」はそれぞれ、本発明の「第１機器情報」、「第２機器情報」の一例である。また、本実施形態の「テレビジョン選択肢」、「レコーダ選択肢」はそれぞれ、本発明の「第１選択肢」、「第２選択肢」の一例である。
【００３７】
入力部１７は、ユーザがＢＤレコーダ１に対する各種の指示を行うためのものである。入力部１７は、たとえばＢＤレコーダ１のハウジングに設けられた複数のボタン、リモートコントローラＲＣから操作信号を受信する受信部などを含む。入力部１７によってユーザ操作が受け付けられると、制御部１４は、操作内容に基づいて再生処理及び記録処理などの各種の制御を行う。
【００３８】
ＨＤＤ１８は、デジタルデータを非一時的に記録する磁気記録媒体である。たとえば、放送波に含まれるコンテンツをＤＲ（Direct Recording）モードで録画すること、及びＤＲモードでの録画データをフォーマット変換することにより生成される録画データ（以下、「変換データ」という）を記録するのに用いられる。なお、ＨＤＤ１８は、図１のようにＢＤレコーダ１に内蔵されてもよいし、外付けされてもよい。
【００３９】
ネットワークＩ／Ｆ１９は、ＢＤレコーダ１をインターネットと接続させるための物理的なインタフェースである。ネットワークＩ／Ｆ１９はたとえば、ＩＥＥＥ８０２．３規格に準拠した有線ＬＡＮに接続するためのＬＡＮケーブルコネクタ、ＩＥＥＥ８０２．１１規格に準拠した無線ＬＡＮに接続するための無線アンテナなどを含むように構成されている。
【００４０】
ＨＤＭＩ通信部２０は、ＨＤＭＩケーブル２が接続されるポートを有し、ＨＤＭＩケーブル２を介してテレビジョン装置３の備えるＨＤＭＩ通信部３７とＨＤＭＩ規格に準じた通信を行うものである。ＨＤＭＩでは、一本のＨＤＭＩケーブル２で映像コンテンツ、音声コンテンツ、及び制御信号の送受信を行うことができる。制御信号の送受については、ＨＤＭＩにおいてＣＥＣ（Consumer Electronics Control）として定義されている。また、ＣＥＣでは、メーカー独自に設定できるベンダーコマンド（Vendor Command）などが利用できる。
【００４１】
なお、本実施形態の映像表示システムでは、外部機器（テレビジョン装置３）への問い合わせ及びその応答には、ＨＤＭＩ−ＣＥＣにおけるＣＥＣコマンド、ベンダーコマンドが用いられる。なお、ベンダーコマンドは、宛先アドレスを指定することで外部機器を指定できる。宛先に指定され外部機器が問い合わせを受けた場合、その外部機器の制御部がＨＤＭＩ通信部を介して応答を返信する。また、各々の装置１、３のＨＤＭＩ通信部２０、３７は電源がＯＦＦ状態であってもＣＥＣコマンド、ベンダーコマンドを送受信することができる。たとえば、ＢＤレコーダ１は、テレビジョン装置３の電源がＯＦＦ状態であっても、テレビジョン装置３に問い合わせ及びその応答を行なうことができる。
【００４２】
（テレビジョン装置の構成）
次に、テレビジョン装置３の構成について説明する。図２は、テレビジョン装置３の構成例を示すブロック図である。テレビジョン装置３は、図２に示すように、放送受信部３１、信号処理部３２、ＯＳＤ処理部３３、制御部３４、記憶部３５、入力部３６、ＨＤＭＩ通信部３７、表示部３８、及びネットワークＩ／Ｆ３９を備えている。
【００４３】
放送受信部３１は、外部のアンテナ（不図示）からデジタル放送信号を受信し、ＴＳを生成する。信号処理部３２は、生成されたＴＳに対して各種の処理を行い、映像コンテンツ及び音声コンテンツのデジタル信号を生成する。生成された映像コンテンツのデジタル信号は表示部３８に送られ、表示部３８に放送映像コンテンツが表示される。また、生成された音声コンテンツのデジタル信号は、不図示の音声出力部（スピーカなどを含む）に送られ、放送音声コンテンツが発音される。
【００４４】
信号処理部３２により生成された映像信号は、ＯＳＤ処理部３３によりＯＳＤ画像が重畳され、重畳後の映像信号が表示部３８に送られる場合もある。また、重畳を行わずに、ＯＳＤ処理部３３からＯＳＤ画像が表示部３８に送られる場合もある。
【００４５】
制御部３４は、テレビジョン装置３の各々の構成要素を統括的に制御する制御装置である。
【００４６】
記憶部３５は、たとえば、制御部３４のワークメモリとして用いられたり、制御部３４などで用いられる各種の情報及びプログラムなどを記憶したりする。
【００４７】
入力部３６は、ユーザがテレビジョン装置３に対して各種の指示を行うためのものである。入力部３６は、たとえば、テレビジョン装置３の筐体に備えられる各種のボタン、及び、不図示のリモコン装置からの操作信号を受信する受信部などを含む。
【００４８】
ＨＤＭＩ通信部３７は、ＢＤレコーダ１のＨＤＭＩ通信部２０に接続されるＨＤＭＩケーブル２が接続されるポート（不図示）を有している。これにより、各々のＨＤＭＩ通信部２０、３７は相互に通信が可能となっている。
【００４９】
表示部３８は、映像信号に対応する各種の映像コンテンツを表示する。表示部３８は、たとえば液晶パネル（不図示）とこれを駆動する駆動部（不図示）とを含む。
【００５０】
ネットワークＩ／Ｆ３９は、テレビジョン装置３をインターネットＮＴに接続させるための物理インタフェースである。ネットワークＩ／Ｆ３９は、たとえば有線ＬＡＮ、無線ＬＡＮなどに接続可能となっている。
【００５１】
（制御部の構成）
次に、ＢＤレコーダ１の制御部１４の構成を説明する。図３は、制御部１４の構成例を示すブロック図である。制御部１４は、図３に示すように機能的要素として、取得部１４１と、表示制御部１４２と、設定部１４３と、を有している。
【００５２】
取得部１４１は、外部機器から情報を取得し、たとえばＣＥＣコマンド、ベンダーコマンドなどを用いてテレビジョン装置３から情報を取得する。
【００５３】
表示制御部１４２は、たとえばＣＥＣコマンド、ベンダーコマンドがテレビジョン装置３に送信されることにより、表示部３８を制御する。
【００５４】
設定部１４３は、機器（ＢＤレコーダ１、テレビジョン装置３など）の設定を変更する。設定部１４３は、たとえば、表示部３８に表示する映像コンテンツの画質条件を装置１、３毎に設定したり、該画質条件の設定を変更したりする。つまり、設定部１４３は、テレビジョン装置３に設定されている画質条件のテレビジョン設定と、ＢＤレコーダ１に設定されている画質条件のレコーダ設定とを変更可能である。より具体的には、取得部１４１は、ＢＤレコーダ１の入力部１７で受け付けられた入力に基づいて、ＢＤレコーダ１のレコーダＥＤＩＤ情報及びテレビジョン装置３のテレビジョンＥＤＩＤ情報に含まれる各々の画質条件の設定を変更する。また、設定部１４３は、変更後のテレビジョンＥＤＩＤ情報をテレビジョン装置３に送信させるとともに、変更後のレコーダＥＤＩＤ情報を記憶部１６に記憶させる。なお、取得部１４１は、この例示に限定されず、テレビジョン装置３（たとえば入力部３６）が受け付けた入力に基づいて各々の画質条件の設定を変更してもよい。なお、本実施形態の「テレビジョン設定」、「レコーダ設定」はそれぞれ、本発明の「第１設定」、「第２設定」の一例である。
【００５５】
（画質条件の設定変更）
次に、コンテンツの画質条件の設定を変更する処理を説明する。図４は、画質条件の設定を変更してコンテンツを再生する方法の一例を説明するためのフローチャートである。なお、図４では、コンテンツの一例として映像コンテンツを挙げ、その画質条件として、解像度、ダイナミックレンジ（ＨＤＲ対応）の設定を変更する場合を説明している。
【００５６】
まず、ＢＤレコーダ１の光ディスクドライブ１５にたとえばＢＤディスクなどの光ディスクが挿入されると（Ｓ１０１）、取得部１４１は、ＣＥＣ経由でテレビジョン装置３からテレビジョンＥＤＩＤ情報及びテレビジョン機器情報を取得し（Ｓ１０２）、これらを記憶部１６に記憶させる。
【００５７】
テレビジョン装置３のテレビジョンＥＤＩＤ情報は、たとえば図５に示すシーケンスで取得できる。図５は、テレビジョンＥＤＩＤ情報を取得する際におけるＣＥＣ経由での情報取得シーケンスの一例である。なお、図５は、テレビジョン装置３に設定された解像度情報、及びダイナミックレンジ情報を含むテレビジョンＥＤＩＤ情報を取得する場合を例示している。解像度情報は、映像コンテンツの解像度の設定値を示している。ダイナミックレンジ情報は、映像コンテンツのダイナミックレンジの設定を示しており、たとえばＨＤＲ（High Dynamic range）に対応する設定になっているかＳＤＲ（Standard dynamic Range）に対応する設定になっているかを示している。ＨＤＲに対応する設定にすると、識別可能な信号振幅の最小値と最大値の比率（所謂ダイナミックレンジ）がたとえばＳＤＲのような通常のダイナミックレンジよりも幅広くなっている映像コンテンツの表示ができる。
【００５８】
図５では、コマンドｃｄ１がＢＤレコーダ１からテレビジョン装置３に送信されることにより、テレビジョン装置３に設定されている解像度情報の通知が要求される（ｓｑ１）。コマンドｃｄ２がテレビジョン装置３からＢＤレコーダ１に送信されることにより、テレビジョン装置３に設定されている解像度情報がＢＤレコーダ１に通知される（ｓｑ２）。次に、コマンドｃｄ３がＢＤレコーダ１からテレビジョン装置３に送信されることにより、テレビジョン装置３に設定されているダイナミックレンジ情報の通知が要求される（ｓｑ３）。コマンドｃｄ４がテレビジョン装置３からＢＤレコーダ１に送信されることにより、テレビジョン装置３に設定されているダイナミックレンジ情報がＢＤレコーダ１に通知される（ｓｑ４）。
【００５９】
次に、テレビジョン装置３のテレビジョンＥＤＩＤ情報及びテレビジョン機器情報とＢＤレコーダ１のレコーダＥＤＩＤ情報及びレコーダ機器情報とに基づいて、表示制御部１４２がテレビジョン選択肢とレコーダ選択肢とを表示部３８の同じ画面に表示させ、設定部１４３がＢＤレコーダ１及びテレビジョン装置３の各々の画質条件のレコーダ設定、テレビジョン設定を変更する。図６Ａ〜図６Ｄは、画質条件の設定を変更するための画面３８１〜３８３の表示例を示している。図６Ａは、画質条件の設定移行画面３８１の一例を示している。図６Ｂは、第１実施形態に係る解像度の設定画面３８２の一例を示している。図６Ｃは、テレビジョン装置３の解像度の設定条件がＢＤレコーダ１に設定されているレコーダ設定を含まない場合の警告表示の一例を示している。図６Ｄは、第１実施形態に係るダイナミックレンジの設定画面３８３の一例を示している。なお、図６Ｂ〜図６Ｄにおいて、「Ｐｌａｙｅｒ」はＢＤレコーダ１を表し、「ＴＶ」はテレビジョン装置３を表している。また、画質条件のテレビジョン選択肢及びレコーダ選択肢の表示のうち、表示画面３８２、３８３とは背景色が異なる表示は、入力部１７が受け付けた入力に基づいて選択される設定を示している。これらは、後述する図７Ａ〜図８Ｂにおいても同様である。
【００６０】
表示制御部１４２は、図６Ａに示す設定移行画面３８１を表示部３８に表示させる（Ｓ１０３）。設定移行画面３８１には、表示ｍ１〜ｍ５が表示されている。設定部１４３は、入力部１７で受け付けられた入力に基づいて、設定移行画面３８１における表示ｍ２〜ｍ５を選択し、ＢＤレコーダ１及びテレビジョン装置３のテレビジョンＥＤＩＤ情報及びレコーダＥＤＩＤ情報又はテレビジョン機器情報及びレコーダ機器情報にこの選択を含める。なお、表示ｍ５は、表示ｍ２〜ｍ４のうちのいずれかとともに選択可能である。
【００６１】
表示ｍ１には、４Ｋ対応のＢＤレコーダ１に４Ｋ対応且つＨＤＲ対応が可能なテレビジョン装置３を接続する旨が表示されている。表示ｍ２は、解像度及びダイナミックレンジの設定を行うことをユーザが選択するための表示である。表示ｍ２が選択された場合、後述するように、表示制御部１４２は設定画面３８２（図６Ｂ）及び設定画面３８３（図６Ｄ）を表示させ、設定部１４３は解像度及びダイナミックレンジの設定を装置１、３毎に変更する。表示ｍ３は、ダイナミックレンジのみの設定を行うことをユーザが選択するための表示である。表示ｍ３が選択された場合、後述するように、表示制御部１４２は設定画面３８３（図６Ｄ）を表示させ、設定部１４３はダイナミックレンジの設定を装置１、３毎に変更する。表示ｍ４は、各々の装置１、３の画質条件（ここでは解像度及びダイナミックレンジ）を設定しないことをユーザが選択するための表示である。設定移行画面３８１にて表示ｍ４が選択された場合、設定部１４３は映像コンテンツの画質条件の設定を変更しない。表示ｍ５は、次回以降に、この設定移行画面３８１を表示させないことをユーザが選択するための表示である。設定移行画面３８１にて表示ｍ５が選択された場合、設定部１４３は、ＢＤレコーダ１に光ディスクが挿入される際に図４のＳ１０３以降の処理を実施しないことをレコーダＥＤＩＤ情報又はレコーダ機器情報に含める。なお、表示ｍ５に係る設定内容は、次回の光ディスクの挿入時以降に有効とされるが、たとえばＢＤレコーダ１のメニュー画面を経由する他の設定処理によって随時に解除可能である。
【００６２】
次に、設定部１４３は、入力部１７で受け付けられた入力に基づいて、ＢＤレコーダ１及びテレビジョン装置３の解像度の設定を変更するか否かを判定する（Ｓ１０４）。なお、この判定は、本実施形態では設定移行画面３８１において、表示ｍ２が選択されていたか表示ｍ３又は表示ｍ４が選択されていたかにより決定される。設定部１４３が解像度の設定を変更しないと判定した場合（Ｓ１０４でＮＯ）、処理は後述するＳ１０７に進む。
【００６３】
設定部１４３が解像度の設定を変更すると判定した場合（Ｓ１０４でＹＥＳ）、表示制御部１４２は図６Ｂに示す設定画面３８２を表示させる（Ｓ１０５）。この際、表示制御部１４２は、テレビジョン装置３に設定可能な解像度のテレビジョン選択肢（「４８０ｐ」、「７２０ｐ」、「２Ｋ（１０８０ｐ）」、及び「４Ｋ（２１６０ｐ）」）と、ＢＤレコーダ１に設定可能な解像度のレコーダ選択肢（「４８０ｐ」、「７２０ｐ」、「２Ｋ（１０８０ｐ）」、「４Ｋ（２１６０ｐ）」、及び「Ａｕｔｏ」）と、を表示部３８の同じ設定画面３８２に表示させる。なお、テレビジョン選択肢及びレコーダ選択肢に含まれる「４８０ｐ」、「７２０ｐ」、「２Ｋ（１０８０ｐ）」、及び「４Ｋ（２１６０ｐ）」はそれぞれプログレッシブ（順次走査）表示での解像度を示しており、これらの数字部分は表示の垂直解像度を表している。レコーダ選択肢に含まれる「Ａｕｔｏ」は、本実施形態では、レコーダ機器情報に基づく最適な設定値、又は、たとえばメーカーによって推奨された設定値が選択されることを表している。そのため、「Ａｕｔｏ」が選択された場合のレコーダ設定は、ＢＤレコーダ１の最も高い解像度「４Ｋ（２１６０ｐ）」に変更される。なお、この例示に限定されず、レコーダ選択肢に含まれる「Ａｕｔｏ」では、テレビジョン機器情報及びレコーダ機器情報に基づく最適な設定値が選択されてもよい。たとえば、「Ａｕｔｏ」が選択された場合のレコーダ設定は、テレビジョン選択肢及びレコーダ選択肢の両方に含まれる解像度のうち、最も高い解像度「２Ｋ（１０８０ｐ）」に変更されてもよい。
【００６４】
設定部１４３は、設定画面３８２の表示後に入力部１７が受け付けた入力に基づいて、テレビジョン選択肢からテレビジョン装置３の解像度のテレビジョン設定を選択するとともに、レコーダ選択肢からＢＤレコーダ１の解像度のレコーダ設定を選択する（Ｓ１０６）。設定部１４３は、テレビジョンＥＤＩＤ情報に含まれるテレビジョン装置３の解像度のテレビジョン設定を変更して、該テレビジョンＥＤＩＤ情報を記憶部１６に記憶させ、さらにＨＤＭＩ通信部２０を経由して該テレビジョンＥＤＩＤ情報をテレビジョン装置３に送信させる。また、設定部１４３は、レコーダＥＤＩＤ情報に含まれるＢＤレコーダ１の解像度のレコーダ設定を変更して、該レコーダＥＤＩＤ情報を記憶部１６に記憶させる。そして、処理はＳ１０７に進む。
【００６５】
なお、Ｓ１０６において選択したテレビジョン設定及びレコーダ設定が異なる場合、表示制御部１４２は、表示ｍ６を設定画面３８２に表示させる。たとえば、図６Ｂにおいて、テレビジョン装置３の解像度のテレビジョン設定として「２Ｋ（１０８０ｐ）」が選択され、ＢＤレコーダ１の解像度のレコーダ設定として「Ａｕｔｏ」が選択された場合、上述のようにＢＤレコーダ１のレコーダ設定は、「４Ｋ（２１６０ｐ）」とされるため、テレビジョン設定と異なる。このような場合、表示ｍ６の表示により、テレビジョン装置３のテレビジョン設定とＢＤレコーダ１のレコーダ設定とが異なっており、両者を同じにする必要があることがユーザに通知される。
【００６６】
また、設定画面３８２において、図６Ｃに示すように、テレビジョン装置３の解像度のテレビジョン選択肢がＢＤレコーダ１のレコーダ設定と同じ解像度（本実施形態では「４Ｋ（２１６０ｐ）」）を含まない場合、表示制御部１４２は、表示ｍ７を設定画面３８２に表示させる。表示ｍ７は、ＢＤレコーダ１に設定されている解像度のレコーダ設定「４Ｋ（２１６０ｐ）」に対応する表示装置をＢＤレコーダ１に接続することをユーザに促すための表示である。なお、図６Ｃにおいて、レコーダ設定が「４Ｋ（２１６０ｐ）」である場合にも、表示ｍ７が設定画面３８２に表示される。
【００６７】
次に、設定部１４３は、テレビジョン機器情報及びレコーダ機器情報に基づいて、表示部３８を備えるテレビジョン装置３がＨＤＲに対応しているが否かを判定する（Ｓ１０７）。テレビジョン装置３がＨＤＲに対応していないと判定された場合（Ｓ１０７でＮＯ）、処理は後述するＳ１１１に進む。一方、テレビジョン装置３がＨＤＲに対応していると判定された場合（Ｓ１０７でＹＥＳ）、設定部１４３は、入力部１７で受け付けられた入力に基づいて、ＢＤレコーダ１及びテレビジョン装置３にＨＤＲ対応の設定を変更するか否かを判定する（Ｓ１０８）。なお、この判定は、本実施形態では、設定移行画面３８１において表示ｍ２又は表示ｍ３が選択されていたか表示ｍ４が選択されていたかにより判定される。設定部１４３がＨＤＲ対応の設定を変更しないと判定した場合（Ｓ１０８でＮＯ）、処理はＳ１１１に進む。
【００６８】
設定部１４３がＨＤＲ対応の設定を変更すると判定した場合（Ｓ１０８でＹＥＳ）、表示制御部１４２は図６Ｄに示す設定画面３８３を表示させる（Ｓ１０９）。この際、表示制御部１４２は、テレビジョン装置３に設定可能なダイナミックレンジのテレビジョン選択肢（「ＨＤＲ」、「ＳＤＲ」）と、ＢＤレコーダ１に設定可能なダイナミックレンジのレコーダ選択肢（「ＨＤＲ」、「ＳＤＲ」）とを表示部３８の同じ設定３８３に表示させる。設定部１４３は、設定画面３８３の表示後に入力部１７が受け付けた入力に基づいて、テレビジョン選択肢からテレビジョン装置３のダイナミックレンジのテレビジョン設定を選択するとともに、レコーダ選択肢からＢＤレコーダ１のダイナミックレンジのレコーダ設定を選択する（Ｓ１１０）。設定部１４３は、テレビジョンＥＤＩＤ情報に含まれるテレビジョン装置３のダイナミックレンジのテレビジョン設定を変更して、該テレビジョンＥＤＩＤ情報を記憶部１６に記憶させ、さらにＨＤＭＩ通信部を経由して該テレビジョンＥＤＩＤ情報をテレビジョン装置３に送信させる。また、設定部１４３は、レコーダＥＤＩＤ情報に含まれるＢＤレコーダ１のダイナミックレンジのレコーダ設定を変更して、該レコーダＥＤＩＤ情報を記憶部１６に記憶させる。そして、処理はＳ１１１に進む。
【００６９】
なお、仮に、図６Ｄにおいてテレビジョン装置３のダイナミックレンジのテレビジョン設定に「ＨＤＲ」が設定され、且つ、ＢＤレコーダ１のダイナミックレンジのレコーダ設定に「ＳＤＲ」が設定された場合、Ｓ１１０において設定したテレビジョン設定及びレコーダ設定が異なるため、表示制御部１４２は、後述する表示ｍ８（図７Ｂ参照）を設定画面３８３に表示させる。この表示により、テレビジョン装置３のテレビジョン設定とＢＤレコーダ１のレコーダ設定とが異なっており、両者を同じにする必要があることがユーザに通知される。
【００７０】
次に、Ｓ１１１において、表示制御部１４２は、記憶部１６に記憶されているテレビジョンＥＤＩＤ情報及びレコーダＥＤＩＤ情報とテレビジョン機器情報及びレコーダ機器情報とに基づいて、光ディスクから読み出された映像コンテンツを表示部３８に表示させる。そして、図４の処理が終了する。
【００７１】
なお、映像コンテンツの画質条件の設定を変更する処理は、本実施形態ではＢＤレコーダ１の入力部１７が受け付けた入力に基づいて行われているが、この例示に限定されず、ＢＤレコーダ１以外の装置（たとえばテレビジョン装置３、特に入力部３６）で受け付けられた入力に基づいて行われてもよい。
【００７２】
また、映像コンテンツの画質条件の設定を変更する処理は、本実施形態では光ディスクがＢＤレコーダ１に挿入される際に開始されているが、この例示に限定されず、他のタイミングで行われてもよい。たとえば、この処理は、ＢＤレコーダ１がテレビジョン装置３にＨＤＭＩ接続される際に行われてもよい。或いは、ユーザがメニュー画面からこの処理を選択して実行してもよい。
【００７３】
以上に説明した本実施形態によれば、テレビジョン装置３と通信可能なＢＤレコーダ１は、テレビジョン装置３及びＢＤレコーダ１の設定を変更する設定部１４３と、テレビジョン装置３のテレビジョン機器情報を取得する取得部１４１と、テレビジョン機器情報が有するテレビジョン設定のテレビジョン選択肢と、ＢＤレコーダ１のレコーダ機器情報が有するレコーダ設定のレコーダ選択肢とを一緒に表示させる表示制御部１４２と、を備える。設定部１４３は、テレビジョン設定とレコーダ設定とを変更可能である。
【００７４】
こうすれば、テレビジョン選択肢と第２選択肢とが一緒に表示され、テレビジョン装置３のテレビジョン設定とＢＤレコーダ１のレコーダ設定とが設定部１４３により変更可能である。よって、テレビジョン装置３及びＢＤレコーダ１の設定を容易に変更することができる。
【００７５】
また、本実施形態によれば、設定部１４３は、変更したテレビジョン設定を含むテレビジョン装置３のテレビジョンＥＤＩＤ情報をテレビジョン装置３に送信させる。こうすれば、変更後のテレビジョン設定をテレビジョン装置３に通知できる。
【００７６】
また、本実施形態によれば、表示制御部１４２は、テレビジョン設定とレコーダ設定とが異なる場合、設定画面３８２、３８３に表示ｍ６、ｍ８（所定の通知）を行わせる。こうすれば、表示ｍ６、ｍ８により、テレビジョン設定とレコーダ設定とが異なることが通知できる。
【００７７】
＜第２実施形態＞
次に、第２実施形態について説明する。第２実施形態では、画質条件の設定画面３８２、３８３において、テレビジョンＥＤＩＤ情報及びレコーダＥＤＩＤ情報に含まれる各々の設定が矢印などの表示によってユーザに報知される。それ以外は第１実施形態と同様である。以下では、第１実施形態と異なる構成について説明する。また、第１実施形態と同様の構成部には同じ符号を付し、その説明を省略する。
【００７８】
図７Ａは、第２実施形態に係る解像度の設定画面３８２の一例を示している。図７Ａにおいて、表示制御部１４２は、映像コンテンツの解像度の設定を変更する処理（図４のＳ１０５参照）の設定画面３８２に解像度の設定表示Ｏａをさらに表示させている。解像度の設定表示Ｏａは、テレビジョンＥＤＩＤ情報及びレコーダＥＤＩＤ情報に含まれる解像度の各々のテレビジョン設定、レコーダ設定をユーザに示しており、第１設定表示Ｏａ１、第２設定表示Ｏａ２、及び、表示「Ｎｏｗ」を含んでいる。第１設定表示Ｏａ１は、テレビジョンＥＤＩＤ情報に含まれる解像度の現時点でのテレビジョン設定（図７Ａでは「７２０ｐ」）をユーザに示している。第２設定表示Ｏａ２は、レコーダＥＤＩＤ情報に含まれる解像度の現時点でのレコーダ設定（図７Ａでは「Ａｕｔｏ」）をユーザに示している。表示「Ｎｏｗ」は、第１及び第２設定表示Ｏａ１、Ｏａ２が示す解像度がそれぞれテレビジョンＥＤＩＤ情報及びレコーダＥＤＩＤ情報に含まれる解像度の現時点でのテレビジョン設定、レコーダ設定であることをユーザに示している。
【００７９】
なお、図７Ａでは、ＢＤレコーダ１のレコーダ設定は、レコーダ機器情報に基づいて「４Ｋ（２１６０ｐ）」とされており、テレビジョン装置３のテレビジョン設定「７２０ｐ」とは異なっている。この場合、表示制御部１４２は、表示ｍ６を設定画面３８２に表示させる。表示ｍ６は、テレビジョン装置３のテレビジョン設定とＢＤレコーダ１のレコーダ設定とが異なっており、両者を同じにする必要があることをユーザに通知する。
【００８０】
また、図７Ａの例示とは異なり、テレビジョン装置３のテレビジョン選択肢がＢＤレコーダ１に設定されている解像度のレコーダ設定を含まない場合、表示制御部１４２は、設定画面３８２に表示ｍ７（図６Ｃ参照）をさらに表示させてもよい。
【００８１】
次に、図７Ｂは、第２実施形態に係るダイナミックレンジの設定画面３８３の一例を示している。図７Ｂにおいて、表示制御部１４２は、映像コンテンツのダイナミックレンジの設定を変更する処理（図４のＳ１０９参照）の設定画面３８３にダイナミックレンジの設定表示Ｏｂを表示させる。ダイナミックレンジの設定表示Ｏｂは、テレビジョンＥＤＩＤ情報及びレコーダＥＤＩＤ情報に含まれるダイナミックレンジのテレビジョン設定、レコーダ設定をユーザに示しており、第１設定表示Ｏｂ１、第２設定表示Ｏｂ２、及び、表示「Ｎｏｗ」を含んでいる。第１設定表示Ｏｂ１は、テレビジョンＥＤＩＤ情報に含まれるダイナミックレンジの現時点でのテレビジョン設定（図７Ｂでは「ＳＤＲ」）をユーザに示している。第２設定表示Ｏｂ２は、レコーダＥＤＩＤ情報に含まれるダイナミックレンジの現時点でのレコーダ設定（図７Ｂでは「ＨＤＲ」）をユーザに示している。表示「Ｎｏｗ」は、第１及び第２設定表示Ｏｂ１、Ｏｂ２が示すダイナミックレンジがそれぞれテレビジョンＥＤＩＤ情報及びレコーダＥＤＩＤ情報に含まれるダイナミックレンジの現時点でのテレビジョン設定、レコーダ設定であることをユーザに示している。
【００８２】
また、図７Ｂでは、テレビジョンＥＤＩＤ情報に含まれるテレビジョン装置３のダイナミックレンジのテレビジョン設定「ＳＤＲ」と、レコーダＥＤＩＤ情報に含まれるＢＤレコーダ１のダイナミックレンジのレコーダ設定「ＨＤＲ」とが異なっている。この場合、表示制御部１４２は、表示ｍ８を設定画面３８３に表示させる。表示ｍ８は、テレビジョン装置３のテレビジョン設定とＢＤレコーダ１のレコーダ設定とが異なっており、両者を同じにする必要があることをユーザに通知する。
【００８３】
なお、各々の設定表示Ｏａ１、Ｏａ２、Ｏｂ１、Ｏｂ２は、本実施形態では矢印であるが、これらの例示に限定されない。各々の設定表示Ｏａ１、Ｏａ２、Ｏｂ１、Ｏｂ２は、記憶部１６に記憶されているテレビジョンＥＤＩＤ情報及びレコーダＥＤＩＤ情報に含まれるテレビジョン設定、レコーダ設定をユーザに示すことができる形態であればよく、たとえば円、多角形、星形などで表示されてもよい。
【００８４】
また、テレビジョンＥＤＩＤ情報及びレコーダＥＤＩＤ情報に含まれるテレビジョン設定、レコーダ設定は、本実施形態の例示に限定されず、特定の表示形態で表示されてもよく、たとえば所定の文字色、太字、斜字などで識別表示されてもよい。このような表示は、各々の設定表示Ｏａ１、Ｏａ２、Ｏｂ１、Ｏｂ２に代えて実施されてもよいし、各々の設定表示Ｏａ１、Ｏａ２、Ｏｂ１、Ｏｂ２とともに実施されてもよい。
【００８５】
以上に説明した本実施形態によれば、表示制御部１４２は、テレビジョン設定及びレコーダ設定を示す設定表示Ｏａ、Ｏｂをテレビジョン選択肢及びレコーダ選択肢とともに表示させる。こうすれば、テレビジョン選択肢及びレコーダ選択肢とともに、テレビジョン装置３のテレビジョン設定と、ＢＤレコーダ１のレコーダ設定とが一緒に表示される。そのため、たとえば、ユーザは、テレビジョン選択肢とレコーダ選択肢とを同時に視認した状態で、テレビジョン設定とレコーダ設定とを変更できる。従って、ユーザは、テレビジョン設定及びレコーダ設定をより最適な設定に変更し易くなる。
【００８６】
さらに、本実施形態によれば、解像度に係る設定表示Ｏａは、テレビジョン設定を示す第１設定表示Ｏａ１と、レコーダ設定を示す第２設定表示Ｏａ２と、を含んでいる。また、ダイナミックレンジに係る設定表示Ｏｂは、テレビジョン設定を示す第１設定表示Ｏｂ１と、レコーダ設定を示す第２設定表示Ｏｂ２と、を含んでいる。こうすれば、テレビジョン装置３のテレビジョン設定とＢＤレコーダ１のレコーダ設定とが識別され易くなる。
【００８７】
また、本実施形態によれば、表示制御部１４２は、テレビジョン設定及びレコーダ設定を識別表示させてもよい。こうすれば、テレビジョン装置３のテレビジョン設定、及び、ＢＤレコーダ１のレコーダ設定が、識別表示されるので、より視認され易くなる。
【００８８】
＜第３実施形態＞
次に、第３実施形態について説明する。第３実施形態では、設定画面３８２、３８３において、画質条件の最適な設定、又は、たとえばメーカーによって推奨された設定が特定の表示形態で識別表示されることによりユーザに通知される。それ以外は第１及び第２実施形態と同様である。以下では、第１及び第２実施形態と異なる構成について説明する。また、第１及び第２実施形態と同様の構成部には同じ符号を付し、その説明を省略する。
【００８９】
図８Ａは、第３実施形態に係る解像度の設定画面３８２の一例を示している。図８Ａにおいて、表示制御部１４２は、テレビジョン装置３の解像度のテレビジョン選択肢のうちのテレビジョン特定選択肢と、ＢＤレコーダ１の解像度のレコーダ選択肢のうちのレコーダ特定選択肢と、を赤色の文字色で識別表示させる。解像度のテレビジョン特定選択肢は、テレビジョン機器情報に基づくテレビジョン装置３の解像度の最適値として予め定められた値（図８Ａでは「４Ｋ（２１６０ｐ）」）である。解像度のレコーダ特定選択肢は、記憶部１６に記憶されているレコーダ機器情報に基づくＢＤレコーダ１の解像度の最適値として予め定められた値（図８Ａでは「４Ｋ（２１６０ｐ）」）である。或いは、解像度のテレビジョン特定選択肢及びレコーダ特定選択肢は、たとえばメーカーによって工場出荷時などにて予め定められた設定（メーカーの推奨値）であってもよい。なお、本実施形態の「テレビジョン特定選択肢」、「レコーダ特定選択肢」はそれぞれ、本発明の「第１特定選択肢」、「第２特定選択肢」の一例である。
【００９０】
さらに、表示制御部１４２は、映像コンテンツの解像度の設定を変更する処理（図４のＳ１０５参照）の設定画面３８２に表示ｍ９をさらに表示させる。表示ｍ９は、記憶部１６に記憶されているテレビジョン機器情報及びレコーダ機器情報に基づく解像度の最適値、又は、たとえばメーカーの推奨値を赤色の文字色で表示していることをユーザに通知する表示である。なお、解像度の設定表示Ｏａは、図８Ａでは表示されているが、この例示に限定されず、設定画面３８２に表示されなくてもよい。
【００９１】
次に、図８Ｂは、第３実施形態に係るダイナミックレンジの設定画面３８３の一例を示している。図８Ｂにおいて、表示制御部１４２は、テレビジョン装置３のダイナミックレンジのテレビジョン選択肢のうちのテレビジョン特定選択肢と、ＢＤレコーダ１のダイナミックレンジのレコーダ選択肢のうちのレコーダ特定選択肢と、を赤色の文字色で識別表示させる。ダイナミックレンジのテレビジョン特定選択肢は、テレビジョン機器情報に基づくテレビジョン装置３のダイナミックレンジの最適なテレビジョン設定（図８Ａでは「ＨＤＲ）」である。ダイナミックレンジのレコーダ特定選択肢は、記憶部１６に記憶されているレコーダ機器情報に基づくＢＤレコーダ１のダイナミックレンジの最適な設定として予め定められた値（図８Ａでは「ＨＤＲ」）である。或いは、ダイナミックレンジのテレビジョン特定選択肢及びレコーダ特定選択肢は、たとえばメーカーによって工場出荷時などにて予め定められた設定（メーカーが推奨する設定）であってもよい。
【００９２】
さらに、表示制御部１４２は、映像コンテンツのダイナミックレンジの設定を変更する処理（図４のＳ１０９参照）の設定画面３８３に表示ｍ１０をさらに表示させる。表示ｍ１０は、記憶部１６に記憶されているテレビジョン機器情報及びレコーダ機器情報に基づくダイナミックレンジの最適な設定、又は、たとえばメーカーの推奨設定を赤色の文字色で表示していることをユーザに示している。なお、ダイナミックレンジの設定表示Ｏｂは、図８Ｂでは表示されているが、この例示に限定されず、設定画面３８３に表示されなくてもよい。
【００９３】
また、ＢＤレコーダ１及びテレビジョン装置３の画質条件の最適な設定又は推奨設定は、本実施形態では赤色の文字色での識別表示によってユーザに示されているが、これらの例示に限定されず、赤色以外の文字色、太字、及び斜字での識別表示などの他の表示形態により示されてもよい。或いは、画質条件の最適な設定又は推奨設定は、設定表示Ｏａ、Ｏｂとは異なる特定の表示によって示されてもよい。該特定の表示は、上述のような特定の表示形態での表示に代えて実施されてもよいし、上述のような特定の表示形態での表示とともに実施されてもよい。
【００９４】
以上に説明した本実施形態によれば、表示制御部１４２は、テレビジョン選択肢に含まれるテレビジョン特定選択肢と、レコーダ選択肢に含まれるレコーダ特定選択肢と、を設定画面３８２、３８３に識別表示させる。こうすれば、ユーザは、たとえば、テレビジョン特定選択肢及びレコーダ特定選択肢がそれぞれテレビジョン装置３及びＢＤレコーダ１に設定する画質条件の最適な設定又は推奨設定であれば、より容易にテレビジョン設定及びレコーダ設定をより最適な設定に変更することができる。さらに、ユーザは、たとえば画質条件の設定変更方法をあまり理解していなくても、テレビジョン設定及びレコーダ設定をより最適な設定に変更することができる。
【００９５】
さらに、本実施形態によれば、表示制御部１４３は、テレビジョン特定選択肢とレコーダ特定選択肢とを示す特定の表示をテレビジョン選択肢及びレコーダ選択肢とともに表示させてもよい。こうすれば、ユーザがテレビジョン特定選択肢及びレコーダ特定選択肢が識別され易くなる。
【００９６】
以上、本発明の実施形態について説明した。なお、上述の実施形態は例示であり、その各々の構成要素及び各々の処理の組み合わせに色々な変形が可能であり、本発明の範囲にあることは当業者に理解されるところである。
【００９７】
たとえば、上述の第１〜第３実施形態では、映像コンテンツの画質条件の設定を変更する場合を説明しているが、本発明はこの例示に限定されない。たとえば、映像コンテンツに代えて、ＢＤレコーダ１及びテレビジョン装置３に設定されている他のコンテンツの再生条件の設定を変更することも可能である。たとえば、音声コンテンツの音声再生条件の設定を変更する場合の音声再生条件は、音声コンテンツがドルビービジョン（登録商標）に対応しているか否かなどである。
【００９８】
また、上述の第１〜第３実施形態では、取得部１４１、表示制御部１４２、及び設定部１４３は、制御部１４の機能的要素として例示されているが、これらの例示には限定されない。取得部１４１、表示制御部１４２、及び設定部１４３のうちの少なくとも１つは、本発明の「電子機器」が有する物理的な構成要素であってもよい。
【００９９】
また、上述の第１〜第３実施形態では、ＢＤレコーダ１及びテレビジョン装置３は、本発明の「電子機器」及び「外部機器」に対応しているが、これらの例示に限定されない。ＢＤレコーダ１が本発明の「外部機器」に対応し、テレビジョン装置３が本発明の「電子機器」に対応していてもよい。この場合、テレビジョン装置３の制御部３４が、取得部１４１、表示制御部１４２、及び設定部１４３を有する構成となる。
【符号の説明】
【０１００】
１  ＢＤレコーダ
１１  放送受信部
１２  信号処理部
１３  ＯＳＤ処理部
１４  制御部
１４１  取得部
１４２  表示制御部
１４３  設定部
１５  光ディスクドライブ
１６  記憶部
１７  入力部
１８  ＨＤＤ
１９  ネットワークＩ／Ｆ
２０  ＨＤＭＩ通信部
２  ＨＤＭＩケーブル
３  テレビジョン装置
３１  放送受信部
３２  信号処理部
３３  ＯＳＤ処理部
３４  制御部
３５  記憶部
３６  入力部
３７  ＨＤＭＩ通信部
３８  表示部
３８１  設定移行画面
３８２、３８３  設定画面
３９  ネットワークＩ／Ｆ
ＲＣ  リモートコントローラ
ｍ１〜ｍ１０  表示
Ｏａ、Ｏａ１、Ｏａ２、Ｏｂ、Ｏｂ１、Ｏｂ２  設定表示
【図１】
2019004334.tif 000003
【図２】
2019004334.tif 000004
【図３】
2019004334.tif 000005
【図４】
2019004334.tif 000006
【図５】
2019004334.tif 000007
【図６Ａ】
2019004334.tif 000008
【図６Ｂ】
2019004334.tif 000009
【図６Ｃ】
2019004334.tif 000010
【図６Ｄ】
2019004334.tif 000011
【図７Ａ】
2019004334.tif 000012
【図７Ｂ】
2019004334.tif 000013
【図８Ａ】
2019004334.tif 000014
【図８Ｂ】
2019004334.tif 000015